(57)【特許請求の範囲】
【請求項１】
被装着部に締付け固定され、エンジン内に燃料を噴射するインジェクタの頭部に設けられたナット部及び電線接続部を覆うべく、該インジェクタの頭部に冠着される絶縁用ターミナルカバーであって、
前記絶縁用ターミナルカバーが、内壁部に前記ナット部外周面の頂部に係合する複数の隅角部と、該内壁部下端に複数の係合爪と、前記インジェクタに対する電線の引出し位置を保持可能な電線保持部と、を有している絶縁用ターミナルカバー。
【発明の詳細な説明】
【０００１】
【発明の属する技術分野】
本発明は絶縁用ターミナルカバーに関し、特に、エンジン内に燃料を噴射するインジェクタの頭部に外嵌されるとともに、インジェクタの頭部に設けられた電線接続部を覆って絶縁し、かつ電線接続部に接続した電線を保持して所望の方向に延びるように固定するインジェクタ用絶縁カバーの改良に関する。
【０００２】
【従来の技術】
例えば、ディーゼルエンジンのシリンダヘッドには、燃料をシリンダ内に噴射するインジェクタが取り付けられる。そして、インジェクタの頭部に設けられた電線接続部には、インジェクタの作動を制御する制御装置から延びる電線が接続される。さらに、インジェクタの電線接続部に電線を接続した部分は絶縁用ターミナルカバーである絶縁カバーにより覆われ、電線接続部からの漏電が防止される。
【０００３】
このような絶縁カバーをインジェクタに取り付ける部分の構造の一例を、図８を参照して説明すると、まず、インジェクタ１の頭部には、このインジェクタ１をエンジンにねじ込んで固着する際にレンチ等の締付工具が係合する６角柱状の工具係合部であるナット部２が形成されている。また、このナット部２の下方には円盤状のフランジ３が形成されている。そして、インジェクタ１の頭部に突設された電線接続部である一対の端子４には、電線５の端部に接続された接続金具６がナット７により螺着される。
【０００４】
インジェクタ１の頭部に外嵌される絶縁カバー３００は、略円筒状の本体部分８と、この本体部分８から一体に連設された電線保持部９とを有している。そして、本体部分８をインジェクタ１の頭部に外嵌すると、本体部分８の内周面に突設された複数の係合爪１０が前記フランジ３の下面に係合し、この絶縁カバー３００がインジェクタ１の頭部から脱落しないように軸線方向に係止される。そして、インジェクタ１の端子４に接続された電線５は、エンジン本体に接触しないように絶縁カバー３００の電線保持部９によって保持される。
【０００５】
【発明が解決しようとする課題】
しかしながら、上述した従来の絶縁カバー３００は、インジェクタ１の頭部に設けられた円盤状のフランジ３に外嵌されるとともに、係合爪１０がフランジ３の下面に係合されているだけなので、図９中に矢印で示すようにインジェクタ１の軸線廻りに自在に回動できる。
【０００６】
したがって、従来の絶縁カバー３００は、インジェクタ１の頭部を覆って絶縁する点では支障ないが、電線５を所望の方向に延びるように保持するという機能の点では十分でない。即ち、電線５の引回し状態によって該電線５の他端部が引っ張られると、絶縁カバー３００は回転してしまい電線５を所望の方向に保持できない。そこで、電線５がエンジン等の他の部分と各々接触し、振動等により絶縁カバーが脱落したり、電線被覆が破れたりする可能性があった。
そこで、本発明の目的は上記課題を解消することに係り、筒状ターミナル本体の頭部に対して軸線廻りに相対回転することがなく、電線接続部に接続した電線を所望の方向に延びるように確実に保持することができる良好な絶縁用ターミナルカバーを提供することである。
【０００７】
【課題を解決するための手段】
本発明の上記目的は、被装着部に締付け固定され、エンジン内に燃料を噴射するインジェクタの頭部に設けられたナット部及び電線接続部を覆うべく、該インジェクタの頭部に冠着される絶縁用ターミナルカバーであって、前記絶縁用ターミナルカバーが、内壁部に前記ナット部外周面の頂部に係合する複数の隅角部と、該内壁部下端に複数の係合爪と、前記インジェクタに対する電線の引出し位置を保持可能な電線保持部と、を有している絶縁用ターミナルカバーにより達成される。
【０００８】
即ち、本発明の絶縁用ターミナルカバーは、内壁部にナット部外周面の頂部に係合する複数の隅角部と、該内壁部下端に複数の係合爪と、インジェクタに対する電線の引出し位置を保持可能な電線保持部とを有しているので、インジェクタのナット部と円周方向に係合して、インジェクタの頭部に対して軸線廻りに相対回転することがない。これにより、インジェクタに接続した電線を所望の方向に延びるように確実に保持することができる。
【０００９】
【発明の実施の形態】
以下、本発明に基づく絶縁用ターミナルカバーの各実施形態を図面を参照して詳細に説明する。
先ず、図１を参照して本第１実施形態の絶縁用ターミナルカバーであるインジェクタ用絶縁カバー１００が取り付けられる筒状ターミナル本体としてのインジェクタ１について説明する。該インジェクタ１の頭部には、このインジェクタ１を被装着部であるエンジンのシリンダヘッド等に穿設された雌ねじ孔（図示せず）にねじ込んで締付け固定する際に、６角レンチ等の締付工具を係合させる６角柱状の工具係合部であるナット部２が形成されている。そして、このナット部２の下方には円盤状のフランジ３が形成されている。また、前記ナット部２の上面であるインジェクタ１の頭部に突設された電線接続部としての一対の端子４には、インジェクタ１に制御電流を供給する一対の電線５の端部に接続された接続金具６が、締付ナット７により固着されている。
【００１０】
前記インジェクタ１の頭部に外嵌される前記絶縁カバー１００は、絶縁性の樹脂材料から射出成形された部品で、図１乃至図３に示すように、略段付き有底円筒状の本体部分１１と、この本体部分１１から一体に連設された電線保持部１２とを有している。
前記本体部分１１の大径部分は、インジェクタ１の前記ナット部２および前記フランジ３に外嵌可能とされ、かつ小径部分は、その内部に端子４、接続金具端子６及び締付ナット７を収納できるように構成されている。
【００１１】
また、前記電線保持部１２は、本体部分１１に対して半径方向外方に延びるように一体に延設されている。そして、この電線保持部１２は上下に２分割されており、上側部分にヒンジ部を介して接続された下側カバー１３を、上側部分の下方に係合することにより、電線５を保持して固定する電線保持孔１４が形成されるようになっている。
【００１２】
また、前記本体部分１１の大径部内周面の下端には、合計５個の係合爪２１が、円周方向に６０度ずつ等間隔に突設されている。これらの係合爪２１は、インジェクタ１のフランジ３の下面と係合し、この絶縁カバー１００をインジェクタ１に対して軸線方向に着脱自在に係止する。また、これらの係合爪２１のアンダーカット部を成形する為、係合爪２１と軸線方向に対向する該絶縁カバー１００の本体部分１１には、射出成形用金型に組み込まれた軸線方向にスライドするスライドピンによって形成された５個の突起成形用開口部２２が設けられている。
【００１３】
一方、本体部分１１の内壁部である大径部内周面の上端部には、インジェクタ１の前記ナット部２外周面の頂部２ａと周方向に係合する周方向係合部３０が形成されている。
前記周方向係合部３０は、図３の断面矢視図に示したように、前記ナット部２の各頂部２ａと嵌合する合計５個の隅角部３１が、前記突起成形用開口部２２に対して円周方向に３０度ずつ間隔を開けてずれるように６０度間隔で配設されている。そこで、図４に示すように、これらの隅角部３１が前記ナット部２の各頂部２ａと嵌合するように前記絶縁カバー１００をインジェクタ１の頭部に外嵌させると、該絶縁カバー１００はインジェクタ１の軸線廻りに回動不能に係止される。
【００１４】
更に、図３に示すように、前記突起成形用開口部２２の周方向の両端部には、一対の面取り部３２が前記ナット部２の各側面と密着可能に形成されている。そこで、図５に示すように、これらの面取り部３２が前記ナット部２の各側面と密着するように前記絶縁カバー１００をインジェクタ１の頭部に外嵌させることによっても、この絶縁カバー１００はインジェクタ１の軸線廻りに回動不能に係止される。
【００１５】
上述のように、本第１実施形態のインジェクタ用絶縁カバー１００の周方向係合部３０においては、前記隅角部３１と前記突起成形用開口部２２に形成された面取り部３２とが、互いに円周方向に３０度ずつ間隔を開けて並ぶように配設されている。これにより、本第１実施形態のインジェクタ用絶縁カバー１００は、インジェクタ１の軸線廻りに３０度のずつの角度ピッチでインジェクタ１に取り付けることができる。
【００１６】
したがって、本第１実施形態のインジェクタ用絶縁カバー１００によれば、インジェクタ１をエンジンにねじ込んで螺着した際に、インジェクタ１の端子４が周方向のどの位置に来ても、電線保持部１２により電線５を所望の方向に対して±３０度の範囲内で延びるように確実に保持することができる。
そこで、電線５はエンジンルーム内の引回し状態等に係わらず、周囲の部品に接触してその絶縁被覆が損傷する等の不具合を防止される。
【００１７】
上述した第１実施形態のインジェクタ用絶縁カバー１００においては、本体部分１１に形成された突起成形用開口部２２の面取り部３２を利用し、前記隅角部３１と共に周方向係合部３０を形成している。これに対し、図６及び図７に示した本発明の第２実施形態に基づく絶縁用ターミナルカバーであるインジェクタ用絶縁カバー２００は、周方向係合部５０がすべてナット部２の頂部２ａに対応した隅角部５１により形成され、各頂部２ａとの円周方向の掛かり代を常に大きく取ることができるように改良したものである。
【００１８】
前記絶縁カバー２００は、絶縁性の樹脂材料から射出成形された部品で、図６に示すように、略段付き有底円筒状の本体部分４３と、この本体部分４３から一体に連設された電線保持部４４とを有している。前記本体部分４３の大径部内周面の下端には、係合爪４１が、円周方向に６０度ずつ等間隔に突設されている。これらの係合爪４１は、インジェクタ１のフランジ３の下面と係合し、この絶縁カバー２００をインジェクタ１に対して軸線方向に着脱自在に係止する。
【００１９】
そして、本第２実施形態のインジェクタ用絶縁カバー２００を成形する為の射出成形用金型においては、該絶縁カバー２００をインジェクタ１に対して軸線方向に係止する係合爪４１のアンダーカット部を成形する為のスライドピンが、半径方向にスライドするように射出成形金型に組み込まれる。これにより、このスライドピンにより前記絶縁カバー２００に成形される突起成形用孔４２は、図６及び図７に示すように、係合爪４１の直上で半径方向に延びるように成形される。
【００２０】
したがって、前記絶縁カバー２００の内壁部に形成される周方向係合部５０は、図７に示すように、インジェクタ１のナット部２の各頂部２ａと確実に嵌合する隅角部５１のみによって構成することができるから、この絶縁カバー２００に大きな外力が作用しても、この絶縁カバー２００はインジェクタ１の軸線廻りに回転することがなく、インジェクタ１に接続された電線５が所望の方向に延びるように確実に保持することができる。
【００２１】
尚、本発明に基づく絶縁用ターミナルカバーは、上述した第１及び第２実施形態のインジェクタ用絶縁カバーの構成に限定されるものではなく、種々の変更が可能であることは言うまでもない。例えば、上述した各実施形態においては、インジェクタ用絶縁カバーの本体部分に電線保持部を連設するために、本体部分がインジェクタ頭部と円周方向の全周にわたって嵌合するように構成されていないが、電線保持部の形状を変更することにより、本体部分がインジェクタ頭部と全周にわたって嵌合するようにすることもできる。  
【００２２】
【発明の効果】
以上の説明から明らかなように、本発明の絶縁用ターミナルカバーは、内壁部にナット部外周面の頂部に係合する複数の隅角部と、該内壁部下端に複数の係合爪と、インジェクタに対する電線の引出し位置を保持可能な電線保持部とを有しているので、内壁部がインジェクタの頭部に設けられたナット部外周面の頂部に係合して、該インジェクタの頭部に冠着された際には軸線廻りに相対回転することがない。これにより、インジェクタの電線接続部に接続した電線を所望の方向に延びるように確実に保持することができる。従って、エンジンルーム内の引回し状態等に係わらず、電線は周囲の部品に接触してその絶縁被覆が損傷する等の不具合を確実に防止される。
【図面の簡単な説明】
【図１】本発明に係る第１実施形態のインジェクタ用絶縁カバーとインジェクタとを示す要部拡大斜視図である。
【図２】図１に示したインジェクタ用絶縁カバーの縦断面図である。
【図３】図２中のIII − III断面矢視図である。
【図４】図１に示したインジェクタ用絶縁カバーをインジェクタに取り付けた状態を説明する為の水平断面図である。
【図５】図１に示したインジェクタ用絶縁カバーをインジェクタに取り付けた状態を説明する為の水平断面図である。
【図６】本発明に係る第２実施形態のインジェクタ用絶縁カバーの縦断面図である。
【図７】図６中のVII − VII断面矢視図である。
【図８】従来のインジェクタ用絶縁カバーをインジェクタに取り付けた状態を示す縦断面図である。
【図９】図８中のIX−IX断面矢視図である。
【符号の説明】
１    インジェクタ
２    ナット部
２ａ  頂部
３    フランジ
４    端子
５    電線
６    接続端子
７    締付ナット
１１    本体部分
１２    電線保持部
１３    下側カバー
１４    電線挿入孔
２１    係合爪
２２    突起成形用開口部
３０    周方向係止部
３１    隅角部
３２    面取り部
１００    インジェクタ用絶縁カバー
【図１】
0003750875.tif 000002
【図２】
0003750875.tif 000003
【図３】
0003750875.tif 000004
【図４】
0003750875.tif 000005
【図５】
0003750875.tif 000006
【図６】
0003750875.tif 000007
【図７】
0003750875.tif 000008
【図８】
0003750875.tif 000009
【図９】
0003750875.tif 000010